(57)【特許請求の範囲】
【請求項１】
片手で握り往復移動することにより、口腔内清掃を行う歯ブラシであって、該歯ブラシ、ブラシ部の形状が、該長手方向に対して山型形状に湾曲し、該ブラシ毛先端部に溶解成形部を設け、該前記溶解成形部内に粉体が含浸し且、該溶解成形部の形状が、山型頂点を中心に左右対称に順次大きく溶解成形されていることを特徴とする歯ブラシ。
【請求項２】
請求項１の歯ブラシであって、該歯ブラシ、ブラシ部の形状が長手方向に対して山型形状に湾曲していることに加え、正面に対しても山形状に湾曲していることを特徴とする歯ブラシ。
【請求項３】
請求項１または２の何れかの歯ブラシであって、該ブラシ長手方向左右のブラシ毛が均等に短かく一列段差を形成していることを特徴とする歯ブラシ。
【請求項４】
請求項１及至３のいづれか一項に記載の歯ブラシであって、該歯ブラシの林立する糸束に、加熱による相互接着を防止する目的から、該歯ブラシ、ブラシ毛素材の溶解温度より高温においても耐えうる粉体を塗布する工程と、前記歯ブラシ、ブラシ毛形状と同一形状に加工された熱板を接近させる工程により、該歯ブラシ、ブラシ先端部を溶解成形加工するに加え、該溶解成形部に前記粉体が含浸し且、該溶解成形部の形状が、山型頂点を中心に左右対称に順次大きく溶解成形されていることを特徴とする歯ブラシの製造方法。
【発明の詳細な説明】
【技術分野】
【０００１】本願発明は、歯ブラシに関する。
【背景技術】
【０００２】現在、市販される植毛歯ブラシのブラシ先端形状とブラシ本体（全体）形状は、各歯ブラシ製造販売会社により異なり工夫されている。そして、その内でも多く使用されているブラシ先端形状としては、両テーパー、片テーパー形状であり、その材質としてはＰＢＴ（ポリブチレンテレフタレート）樹脂、ＰＥＴ（ポリエチレンテレフタレート）樹脂である。そして、その理由は、従来多く使用されて来たＰＡ（ポリアミド＝ナイロン）樹脂に比らべて、ブラシ毛に腰があり（歯ブラシ、ブラシ毛の倒れ込みが少なく歯ブラシの使用期間が長い）、テーパー加工が容易に実施できるからと考えられる。それに加え、テーパー加工実施後のブラシ毛を糸メーカーから購入したとしても、前記したＰＡに比らべ原価が低いため価格に変動はない。又、吸水性もＰＡの約０．４％（ナイロン６１２）に対し、ＰＥＴは約０．１％以下と優れているため、歯ブラシ使用後の乾燥も短時間で済み、「口当りの柔らかさ」を除くと、ＰＡに比らべＰＢＴ、ＰＥＴが優れている。【０００３】そして、特許文献（下記に、その文献番号を示した）に記載された内容から、口腔内における使用感、歯垢除去力などを鑑み、当社の技術を利用して消費者に優れた歯ブラシを提供することを考えた。【０００４】
【特許文献１】特開２０１４−０８７４７５号公報
【発明者が解決しょうとする課題】
【０００５】現状において、各歯ブラシ文献を詳細に調査した結果と当業者の考えを「集約」すると、前記した特許文献１（特開２０１４−０８７４７５号公報）に記載される歯ブラシ、ブラシ毛形状が歯垢除去力に優れており、それに、本願発明の歯ブラシ、ブラシ毛先端加工を使用し「後加工」により実施することで、消費者に対し最高の歯ブラシを提供することを課題とした。
【課題を解決するための手段】
【０００６】本願発明においては、図３で示す片テーパー糸束、図４で示す両テーパー糸束の場合も同様で、加工後の歯ブラシ、ブラシ毛形状と同様の表面を有するヒーターを４５０〜６００°に加熱し、ブラシ毛先端に接近させ約１〜２ｍｍ手前で停止させ、非接触により、歯ブラシ、ブラシ毛先端加工を実施する。この加工に必要な時間は２〜５秒程度で充分であるが、林立するブラシ毛の相互接着を防止する目的から、前記したヒーター温度においても溶解することのない、カルシウム等の粉体をバリアーとして使用する必要がある。
【発明の効果】
【０００７】図８及至１０の写真から理解できるように、片テーパー糸束（図８）においては、段差植毛である切断面の先端も滑らかな半球形状に加工されている。また、図９のように林立する両テーパー糸束においても、カルシウム等の粉体をバリアーとして使用することで、相互接着も一切なくブラシ毛先端が円錐・砲弾形状に加工されている。
【０００８】この歯ブラシ、ブラシ毛先端加工により、テーパー毛先端に異形を成形することにより、歯周ポケット内の歯垢を効率よく掻き出すことが可能となった。また、テーパー毛先端の異形の形状は円錐・砲弾形状であり、その先端部は０．１ｍｍ以下であるため、その入口が１〜１．５ｍｍ程度とされる歯周ポケットへの挿入に何の問題もない。
【０００９】また、この歯ブラシ、ブラシ毛先端は前記した写真から理解できるように、ブラシ先端部に製造された異形が熱によるものであるため、表面の粗度が高く滑らかであるため、その表面がデリケートである舌清掃にも適合し、ブラシ毛先端の面積が「毛先が球歯ブラシ」同様に大きいため、力が入り易く歯肉のマッサージにも適合している。加えて、テーパー糸束の物性は、その加工が容易なことからＰＢＴ（ポリブチレンテレフタレート）樹脂、ＰＥＴ（ポリエチレンテレフタレート）樹脂が使用される。これらの樹脂は腰が強く、ブラシ毛先端部分に歯垢を掻き出す目的の突起を設けたことで、歯間ブラシとしても使用できる。
【００１０】そして、図１０の写真から理解できるように、林立するブラシ毛の相互接着を防止する目的から使用する粉体をカルシウム等とした場合、使用中に含浸したカルシウムが少量づつではあるものの溶け出し、口腔内をアルカリ性に戻す手助けをする。元々、カルシウムは歯（骨）の主成分であり、歯磨剤の主成分でもある。
【発明を実施するための最良の形態】
【００１１】以下、本願発明を実施するための最良の形熊を図をもって説明する。【００１２】図１は、歯間の窪みや奥歯清掃に適合した植毛台２であり、図２は一般用コンパクトタイプとして使用される３列の植毛台２を表し、４列の歯ブラシが標準タイプである。そして、その延長線上に歯ブラシハンドル１を有し、植毛台２表面には好適数の植毛小孔３が設けられている。【００１３】図３は、図１に記載される植毛台２に設けられた植毛小孔３に、平線５を打ち込み片テーパー糸束４を段差状態に固定した歯ブラシの、Ａ−Ａ断面図であり、同じく植毛台２に設けられた植毛小孔３に、平線５を打ち込み両テーパー糸束６を平面状態に固定した歯ブラシの、Ｂ−Ｂ断面図が図４である。【００１４】そして、前記した図３及び図４におけるブラシ毛先端部分は、図５・６・８・９・１０で示す加工が施される。その方法を詳細に説明すると下記の通りである。【００１５】図３は前記したように従来の方法で、片テーパー糸束４が植毛台２に設けられた植毛小孔３に平線５を打ち込み植毛される。ただし、歯間の窪みや奥歯清掃（狭い部分を重点清掃）をする目的の場合、図３で示すように片テーパー糸束４におけるテーパ部を中央に集中させる目的から、対照に植毛する場合もある。次に、ブラシ毛先端部分を図５・６・８・９・１０で示すような形状に加工するために、予め、加工形状と対照形状に表面が加工された加工ヒーターを好適温度（４５０〜６００°Ｃ）に加熱し、加工ヒーター仮想位置（垂直方向）Ｅまで接近させ（非接触熱板による加工のため、加工ヒーターとブラシ毛先端の間隔は約１．５〜２ｍｍとし、ブラシ毛先端の到達温度は約２５０〜３００°）溶解する。そして、この加工に絶対に必要な物質が前記加工温度においても物性に変化のないカルシウム類（粉体）で、相互接着防止のため重要である。【００１６】前記した片テーパー糸束４における切断面においても図６で示すように、毛先が粗度が高く滑らかな半円球（円球）に同時に加工される。この状態を示すものが図６（イメージ）と図８の片テーパー糸切断面Ｄである。そして、この部分は、林立するブラシ毛の内に段差植毛により埋没しているため  「切断面」であった状態から加工面＝粗度の高い滑らかな面となったことは好適である。【００１７】両テーパー糸束６の場合も、加工方法は前記した方法と同様であり、加工ヒーターを矢印のように移動させるため、接近時間の長い両端は加工形状が多少大きくなる（加工前のブラシ先端部分は平面であるためで、カットを施し、加工ヒーター同様の湾曲形状の加工すれば、加工部分の大きさは「ほぼ同形状」となる）。【００１８】また、前記した歯ブラシにおいて長手方向に関しても、湾曲した状態に加工した図が、図７である。そのヒーター位置を示す点線が、加工ヒーター仮想位置（長手方向）Ｆであり、失印の方向から接近させて加工を実施する。【００１９】加えて、これらの歯ブラシは口腔内での操作性を向上させる目的から、植毛台の厚さ７を３〜４ｍｍとした。そして、本願発明のブラシ毛加工部を先端加工部Ｃで示した。
【図面の簡単な説明】
【００２０】
【図１】歯ブラシ植毛台（２列）の形状を示す平面図。
【図２】歯ブラシ植毛台（３列）の形状を示す平面図。
【図３】図１に対し、植毛、毛先加工後Ａ−Ａ断面から切断した断面図。
【図４】図２に対し、植毛、毛先加工後Ｂ−Ｂ断面から切断した断面図。
【図５】歯ブラシ、ブラシ先端部Ｃ（点線円内）の加工後の形状を示す拡大イメージ図。
【図６】片テーパー糸の切断端面、点線円内Ｄの加工後の形状を示す拡大イメージ図。
【図７】図３及び４の左側面に対し、平面（９０°回転）から見たブラシ正面図。
【図８】片テーパー糸における、当社先端加工後の拡大写真。
【図９】両テーパー糸における、当社先端加工後の拡大写真。
【図１０】当社先端加工後、先端加工面に含浸するカルシウムの状態を示す拡大写真。
【符合の説明】
【００２１】１．歯ブラシハンドル。
２．植毛台。
３．植毛小孔。
４．片テーパー糸束。
５．平線（真鍮片）。
６．両テーパー糸束。
７．植毛台の厚さ。
Ｃ．先端加工部。
Ｄ．片テーパー糸切断面（テーパー加工ナシ）。
Ｅ．加工ヒーター仮想位置（垂直方向）。
Ｆ．加工ヒーター仮想位置（長手方向）。
【要約】
【課題】現状において、特許文献、市販される歯ブラシ等を考察すると、「１００年以上も続く植毛歯ブラシにおいてはアイデアが尽きた」感がある。そこで、当社は当業者が「絶体に製造不可能］と考えた、歯ブラシのブラシ毛先端を「後加工」において粗度が高く、滑らかな加工を施し口腔内清掃（歯周ポケット、歯間、舌表面、歯肉マッサージ）が一本で正確に実施できる歯ブラシを消費者に提供する。
【解決手段】当社が先刻出願した歯ブラシ、ブラシ毛先端の「後加工」（ブラシ毛先端が平面）の特許出願に続き、各当業社が「口腔内清掃に好適」とされる、ブラシ毛先端が「湾曲するカマボコ形状、長手方向からは山型形状」も、カット有無に関係なく、溶解ヒーターの表面を３Ｄ（立体形状）形状とすることで、溶解量を各部位により変化させることで実現できる。
【選択図】図４【図１】
0006866553.tif 000002
【図２】
0006866553.tif 000003
【図３】
0006866553.tif 000004
【図４】
0006866553.tif 000005
【図５】
0006866553.tif 000006
【図６】
0006866553.tif 000007
【図７】
0006866553.tif 000008
【図８】
0006866553.tif 000009
【図９】
0006866553.tif 000010
【図１０】
0006866553.tif 000011